(57)【特許請求の範囲】
【請求項１】
カードと回路基板を電気的に接続させるためのカード用コネクタにおいて、
後端側から前記カードが挿脱可能なハウジングと、
一端部が前記回路基板表面上に接合し、他端部が前記カードの接点と接触可能なように前記ハウジングに設けられた複数の端子と、
両側に配列された前記端子の間の領域において、前記ハウジングの前壁に前記回路基板に対して垂直に設けられ前記回路基板に固定される補強部材と、
を備え、
前記複数の端子は前記前壁より前方で前記回路基板に接合され、前記補強部材は、前記前壁の内面と、前記回路基板と端子の接合部との間で前記回路基板に固定されていることを特徴とするカード用コネクタ。
【請求項２】
前記ハウジングに被嵌可能な金属製のハウジングカバーをさらに備え、前記補強部材は、前記ハウジングカバーと接触可能なように設けられている請求項１に記載のカード用コネクタ。
【請求項３】
前記ハウジングに被嵌可能な金属製のハウジングカバーをさらに備え、前記補強部材は、前記ハウジングカバーと一体に設けられている請求項１に記載のカード用コネクタ。
【請求項４】
前記補強部材は前記前壁の縦孔を貫通して前記回路基板に固定される請求項１に記載のカード用コネクタ。
【請求項５】
前記補強部材は前記回路基板の穴を貫通した状態で前記回路基板に固定される請求項４に記載のカード用コネクタ。
【請求項６】
前記ハウジングカバーは、前記ハウジングの前壁の前面の少なくとも一部を外部から覆う部分を有し、前記覆う部分に前記回路基板に垂直に固定される補強部材を設けている請求項３に記載のカード用コネクタ。
【請求項７】
カードと回路基板を電気的に接続させるためのカード用コネクタにおいて、
後端側から前記カードが挿脱可能なハウジングと、
一端部が前記回路基板表面上に接合し、他端部が前記カードの接点と接触可能なように前記ハウジングに設けられた複数の端子と、
前記ハウジングに被嵌可能なハウジングカバーを備え、
両側に配列された前記端子の間の領域において、前記ハウジングの前壁に前記端子を取付けるための横孔が前記回路基板と平行に設けられており、該ハウジングカバーは、前記ハウジングの前壁の前面にて複数の前記横孔にまたがる一部領域を外部から覆う部分を有し、前記覆う部分から前記カード用コネクタの後端側へ延びる嵌入部が前記横孔に嵌入されていることを特徴とするカード用コネクタ。
【発明の詳細な説明】
【０００１】
【発明の属する技術分野】
本発明は、メモリを組込んだカードと回路基板とを電気的に接続するために用いられるカード用コネクタに関する。
【０００２】
【従来の技術】
近年、携帯電話等の電子機器には、メモリを組込んだカードを装着するためのカード用コネクタが装備されている。従来のこの種のカード用コネクタとしては、例えば、図９〜図１１に示されているものがある。このカード用コネクタ１は、カード２を収容可能なハウジング３と、該ハウジング３に被嵌可能に設けられたハウジングカバー４と、前記ハウジング３に並列に配設された複数（図示では９個）の端子５とで概略構成されている。
【０００３】
前記ハウジング３は合成樹脂製で、底板６と、該底板６の前端部に形成された前壁７と、前記底板６の両側部に形成された側壁８，９とを備え、該一方の側壁９にはロック機構（図示せず）が設けられている。また、前記ハウジングカバー４は金属製で、その両側部は下方に折曲し、前記各側壁８，９の外面を覆うようになっている。さらに、前記各端子５の前端部１０は、前記前壁７を貫通し、前記ハウジング３の外側に突出し、回路基板１１の所定回路表面上に半田付けされている。
【０００４】
このような構成において、前記カード２を後端側から前記ハウジング３内に押込むと、前記カード２の接点（図示せず）は前記端子５の後端部１２に接触し、その接触状態は前記ロック機構により保持され、前記カード２は前記カード用コネクタ１に装着された状態となる。そして、前記カード２の後端部を押圧し、該カード２をさらに前進させると、前記ロック機構のロックが解除され、前記カード２は前記ハウジング３の後端側より抜脱可能となる。
【０００５】
【発明が解決しようとする課題】
ところが、上記した従来のカード用コネクタ１では、前記カード２を装着した状態で電子機器を落下等させた場合、前記ハウジング３内に前記カード２が過度に押込まれることにより、前記前壁７や前記端子５と回路基板１１の接合部に対して前方へ過大な力が掛かり、前記前壁７が破損したり、前記接合部が剥離するという問題があった。
【０００６】
本発明は、上記課題を解決すべくなされたものであり、ハウジングの破壊強度を高め、端子と回路基板との接合部が剥離することのない信頼性の高いカード用コネクタを提供するものである。
【０００７】
【課題を解決するための手段】
本発明は、カードと回路基板を電気的に接続させるためのカード用コネクタにおいて、後端側から前記カードが挿脱可能なハウジングと、一端部が前記回路基板表面上に接合し、他端部が前記カードの接点と接触可能なように前記ハウジングに設けられた複数の端子と、両側に配列された前記端子の間の領域において、前記ハウジングの前壁に前記回路基板に対して垂直に設けられ前記回路基板に固定される補強部材と、を備え、前記複数の端子は前記前壁より前方で前記回路基板に接合され、前記補強部材は、前記前壁の内面と、前記回路基板と端子の接合部との間で前記回路基板に固定されていることを特徴とする。
【０００９】
また、前記ハウジングに被嵌可能な金属製のハウジングカバーをさらに備え、前記補強部材は、前記ハウジングカバーと接触可能なように設けられている。
【００１０】
さらに、前記ハウジングに被嵌可能な金属製のハウジングカバーをさらに備え、前記補強部材は、前記ハウジングカバーと一体に設けられている。
【００１１】
さらにまた、前記補強部材は前記前壁の縦孔を貫通して前記回路基板に固定されていてもよい。また、前記補強部材は前記回路基板の穴を貫通した状態で前記回路基板に固定されていてもよい。
さらに、前記ハウジングカバーは、前記ハウジングの前壁の前面の少なくとも一部を外部から覆う部分を有し、前記覆う部分に前記回路基板に垂直に固定される補強部材を設けてもよい。
また、本発明は、カードと回路基板を電気的に接続させるためのカード用コネクタにおいて、後端側から前記カードが挿脱可能なハウジングと、一端部が前記回路基板表面上に接合し、他端部が前記カードの接点と接触可能なように前記ハウジングに設けられた複数の端子と、前記ハウジングに被嵌可能なハウジングカバーを備え、両側に配列された前記端子の間の領域において、前記ハウジングの前壁に前記端子を取付けるための横孔が前記回路基板と平行に設けられており、該ハウジングカバーは、前記ハウジングの前壁の前面にて複数の前記横孔にまたがる一部領域を外部から覆う部分を有し、前記覆う部分から前記カード用コネクタの後端側へ延びる嵌入部が前記横孔に嵌入されていることを特徴とする。
【００１２】
このような構成により、前記補強部材により、前記前壁に作用する前方への力を受け止め可能であるため、カードを装着した状態で電子機器を落下等させ、カードがハウジング内に過度に押込まれたとしても、ハウジングの前壁を破損させたりおそれがなく、製品の信頼性を向上させることができる。
【００１３】
【発明の実施の形態】
以下、図面を参照しつつ、本発明の実施の形態を説明する。なお、カード挿脱時のカード用コネクタの作用は従来の場合と同様であるので、斯かる作用の詳細な説明は省略する。
【００１４】
図１及び２は本発明の第１の実施の形態に係るカード用コネクタ２１を示している。該カード用コネクタ２１は、後端側からカード２２が挿脱可能なハウジング２３と、該ハウジング２３に被嵌可能に設けられたハウジングカバー２４と、前記ハウジング２３に配設された複数（図示では９個）の端子２５と、前記ハウジング２３の前端部に形成された前壁２６に所要数（図示では６個）設けられた補強金具２７とを備えている。
【００１５】
前記ハウジング２３は合成樹脂製で、前記前壁２６と、コの字状に形成された底板２８と、該底板２８の両側部に形成された側壁２９，３０とから構成されている。前記前壁２６には、前記端子２５の設置数と同数（図示では９個）の横孔３１，３２，３３，３４，３５，３６，３７，３８，３９が前後方向に穿設され、さらに、前記両側の横孔３１，３９を除く各横孔３２，３３，３４，３５，３６，３７，３８の間には所要数（図示では６個）のスリット状の縦孔４０が上下方向に穿設されている。また、前記両側壁２９，３０の各外面にはそれぞれ２箇所ずつ係止突起４１が突設されている。
【００１６】
前記ハウジングカバー２４は金属板製で、その両側部４２，４３はそれぞれ下方に折曲し、前記各側壁２９，３０の外面を覆うようになっている。前記各側部４２，４３の前記係止突起４１に対応する位置にはそれぞれ、開口部４４が穿設され、該開口部４４が前記係止突起４１に係止することにより、前記ハウジングカバー２４は前記ハウジング２３に固定されている。また、前記各側部４２，４３の下端部には外側に屈曲した爪片４５が形成され、該爪片４５が回路基板４６に接合されることにより、前記ハウジングカバー２４は前記ハウジング２３と共に前記回路基板４６に固定されている。
【００１７】
前記各端子２５は前記各横孔３１〜３９に圧入され、並列に配列され、その前端部４７は、前記ハウジング２３の外側に突出し、前記回路基板４６の所定回路表面上に半田付けされている。また、前記各端子２５の後端部４８は山型に屈曲し、前記カード２２の接点（図示せず）に接触可能に形成されている。
【００１８】
前記補強金具２７は金属板製であり、方形の頭部４９と該頭部４９から下方に延びる脚部５０とから成り、該脚部５０の両端面には楔状に突起部５１が形成されている。そして、前記各補強金具２７は前記突起部５１を介して前記各縦孔４０に圧入され、前記脚部５０の下端部は前記回路基板４６に半田付けされている。このように、前記補強金具２７は、前記両側に配列された端子２５の間の領域内に位置し、好ましくは、前記前壁２６の内面５２と、前記端子２５と前記回路基板４６の接合部５３との間で前記回路基板４６に固定されている。この結果、前記カード２２を装着した状態で電子機器を落下させ、前記カード２２が前記ハウジング２３内に過度に押込まれたとしても、前記カード２２の前方への動きは前記補強金具２７により拘束されるため、前記前壁２６が破損したり、前記端子２５と前記回路基板４６の前記接合部５３が剥離したりするおそれがない。
【００１９】
なお、上記第１の実施の形態において、図３に示すように、前記補強金具２７の頭部４９が前記ハウジングカバー２４と接触するように構成させてもよい。そして、この場合には、グランド性能をさらに向上させることができる。また、前記各補強金具２７は、それぞれ各頭部４９を連結し、一体化させてもよい。
【００２０】
次に、図４及び５を参照しつつ、本発明の第２の実施の形態を説明する。なお、説明の簡略のため、図４及び図５中、図１及び図２中の構成と同等のものについては同符号を付し、その詳細な説明は省略する。
【００２１】
カード用コネクタ６１は、カード２２を収容可能なハウジング６２と、該ハウジング６２に被嵌可能に設けられたハウジングカバー６３と、前記ハウジング６２に配設された複数（図示では９個）の端子２５とを備えている。
【００２２】
前記ハウジング６２は合成樹脂製で、底板２８と、該底板２８の前端部に形成された前壁６４と、側壁２９，３０とから構成され、前記前壁６４には、前記端子２５の設置数と同数（図示では９個）の横孔３１〜３９が前後方向に穿設されている。
【００２３】
前記ハウジングカバー６３は金属板製で、その前端部６５及び両端部４２，４３はそれぞれ下方に折曲し、前記前端部６５は前記前壁６４の前面６６に接触している。前記前端部６５は幕板部６７と該幕板部６７から下方に延びる複数（図示では６本）の脚部６８とから成り、該各脚部６８は両側の端子２５を除いた各端子２５の間を通過し、下端部が回路基板４６に半田付けされている。このように、前記脚部６８は、前記両側に配列された端子２５の間の領域に配設され、好ましくは、前記前壁６４の内面６９と、前記端子２５と前記回路基板４６の接合部５３との間で前記回路基板４６に固定されている。この結果、前記前端部６５は上記第１の実施の形態における補強金具２６と同様の機能を果たすため、前記カード２２を装着した状態で電子機器を落下させ、前記カード２２が前記ハウジング６２内に過度に押込まれたとしても、前記カード２２の前方への動きは前記前端部６５により拘束され、前記前壁６４が破損したり、前記端子２５と前記回路基板４６の前記接合部５３が剥離したりするおそれがない。
【００２４】
なお、上記第１及び第２の実施の形態において、前記各脚部５０，６８の下端部は前記回路基板４６に表面実装されてもよく、さらに圧入等半田付け以外の接合方法で固定されていてもよい。
【００２５】
次に、図６〜図８を参照しつつ、本発明の第３の実施の形態を説明する。なお、説明の簡略のため、図６〜図８中、図１〜図５中の構成と同等のものについては同符号を付し、その詳細な説明は省略する。
【００２６】
本実施の形態に係るカード用コネクタ７１は、上記した第２の実施の形態におけるハウジングカバー６３の前端部６５の形状を変更したものである。すなわち、本実施の形態におけるハウジングカバー７２の前端部７３は、ハウジング６２の前壁６４の前面６６に接触可能に形成された２個の幕板部７４及び７５と該各幕板部７４，７５の両側部を後方に折曲して形成された嵌入部７６，７７、及び７８，７９とから構成されている。該嵌入部７６，７７、及び７８，７９は、例えば、それぞれ各横孔３２，３４、及び３６，３８に嵌入し、前記各嵌入部７６，７７，７８，７９は、図８によく示されているように、前記各横孔３２，３４，３６，３８の上面部８０に係止するように形成されている。これにより、前記ハウジングカバー７２は前記ハウジング６２に精度良く位置決めされた状態で確実に固定されることができ、さらに、前記前壁６４の強度を向上させることができる。
【００２７】
また、好ましくは、前記ハウジング６２の前壁６４の上面には、所要数（図６では４箇所）の係合突起８１が突設され、前記ハウジングカバー７２の前記係合突起８１に対応する位置には係合孔８２が穿設されている。これにより、前記ハウジングカバー７２が前記ハウジング６２に固定されると、前記各係合突起８１がそれぞれ前記各係合孔８２に係合し、前記前壁６４の破損をより確実に防止することができる。すなわち、カード２２が前記ハウジング６２内に過度に押込まれ、前記前壁６４にその底面部を中心とする前方への回転モーメントＭ（図８参照）が作用したとしても、前記係合突起８１と前記係合孔８２が係合することにより、前記回転モーメントＭに十分に対抗することができるので、前記前壁６４が破壊されるおそれがない。
【００２８】
なお、上記第１、第２及び第３の実施の形態において、前記補強金具２７、前記前端部６５の脚部６８及び前記前端部７３の嵌入部７６，７７，７８，７９の設置数及び設置位置は前述した数及び位置に限定されるものではない。また、前記補強金具２７、前記前端部６５及び７３は、前記前壁６４の内面５２，６９側に設置する等、前記前壁６４の別の位置に設けられてもよい。
【００２９】
さらに、本発明は、前記端子２５が前記前壁２６，６４を貫通せずに、前記ハウジング２３，６２内に収容され、前記端子２５の後端部が前記回路基板４６に半田付けされるように構成されたカード用コネクタに対しても実施可能である。この場合でも、前記補強金具２７、前記脚部５０及び嵌入部７６，７７，７８，７９は、前記両側に配列された端子２５の間の領域（前記両側に配列された端子２５の前方延長線に挟まれた領域を含む）に位置するように設けられる。
【００３０】
【発明の効果】
以上述べた如く本発明によれば、補強部材により前壁に作用する前方への力を受け止め可能であるため、カードを装着した状態で電子機器を落下等させ、カードがハウジング内に過度に押込まれたとしても、ハウジングの前壁が破損したりするおそれがなく、製品の信頼性を向上させることができる等種々の優れた効果を得ることができる。
【図面の簡単な説明】
【図１】本発明の第１の実施の形態に係るカード用コネクタを示す分解斜視図である。
【図２】本発明の第１の実施の形態に係るカード用コネクタを示す断面図である。
【図３】本発明の第１の実施の形態に係るカード用コネクタの別の実施例を示す断面図である。
【図４】本発明の第２の実施の形態に係るカード用コネクタを示す分解斜視図である。
【図５】本発明の第２の実施の形態に係るカード用コネクタを示す断面図である。
【図６】本発明の第３の実施の形態に係るカード用コネクタを示す分解斜視図である。
【図７】本発明の第３の実施の形態に係るカード用コネクタを示す部分拡大図である。
【図８】本発明の第３の実施の形態に係るカード用コネクタを示す断面図である。
【図９】従来例を示す斜視図である。
【図１０】従来例を示す平断面図である。
【図１１】従来例を示す断面図である。
【符号の説明】
２１          カード用コネクタ
２２          カード
２３          ハウジング
２４          ハウジングカバー
２５          端子
２６          前壁
２７          補強金具
５２          内面
６１          カード用コネクタ
６２          ハウジング
６４          前壁
６５          前端部
６９          内面
７１          カード用コネクタ
７２          ハウジングカバー
７３          前端部
【図１】
0003727872.tif 000002
【図２】
0003727872.tif 000003
【図３】
0003727872.tif 000004
【図４】
0003727872.tif 000005
【図５】
0003727872.tif 000006
【図６】
0003727872.tif 000007
【図７】
0003727872.tif 000008
【図８】
0003727872.tif 000009
【図９】
0003727872.tif 000010
【図１０】
0003727872.tif 000011
【図１１】
0003727872.tif 000012